(57)【要約】【課題】打撃位置に対する打撃の検出感度の均一性が向上された棒状電子打楽器を提供すること。【解決手段】本発明によれば、長辺および短辺が弾性支持された板状部材に設けられた２つのセンサが、それぞれ、当該板状部材における長手方向の中心を通り短手方向に延びる中心線を挟む所定の範囲内に配設されている。特に、各センサは、前記中心線から、当該中心線から長手方向の端部までの距離の１／２だけ離れた位置より端側であり、かつ、前記中心線から、当該中心線から長手方向の端部までの距離の３／４だけ離れた位置より中心側の範囲に配設されるので、打撃位置に対する打撃の検出感度の均一性を向上できるという効果がある。【選択図】図７
2014119664.tif 000002
【特許請求の範囲】
【請求項１】
上面視が略矩形である弾性材料からなる打面を備えた棒状打楽器であって、
前記打面の周囲に連設され、弾性材料からなる側壁部と、
長辺および短辺が前記側壁部の内周側に弾性支持された、硬質材料からなる略矩形の板状部材と、
前記板状部材の一面側に配設され、前記打面が打撃されたことに基づく振動を検出する２つのセンサとを備え、
前記２つのセンサは、各センサが検出した検出信号を電気的に合成して出力するように接続され、
前記２つのセンサは、それぞれ、前記板状部材における長手方向の中心を通り短手方向に延びる中心線を挟む所定の範囲内に配設され、
前記所定の範囲は、前記中心線から、当該中心線から長手方向の端部までの距離の１／２だけ離れた位置より端側であり、かつ、前記中心線から、当該中心線から長手方向の端部までの距離の３／４だけ離れた位置より中心側の範囲であることを特徴とする棒状打楽器。
【請求項２】
前記所定の範囲は、前記中心線から、当該中心線から長手方向の端部までの距離の１／２だけ離れた位置より端側であり、かつ、前記中心線から、当該中心線から長手方向の端部までの距離の２／３だけ離れた位置より中心側の範囲であることを特徴とする請求項１記載の棒状打楽器。
【請求項３】
前記２つのセンサは、前記板状部材における前記中心線を対称軸として対称に配設されることを特徴とする請求項１または２に記載の棒状打楽器。
【請求項４】
前記側壁部の内周側には、前記板状部材の長辺および短辺を嵌合可能な凹部を備え、
前記板状部材は、長辺および短辺が前記凹部に嵌合されることによって弾性支持されることを特徴とする請求項１から３のいずれかに記載の棒状打楽器。
【発明の詳細な説明】
【技術分野】
【０００１】
本発明は、棒状電子打楽器に関し、特に、打撃位置に対する打撃の検出感度の均一性が向上された棒状電子打楽器に関するものである。
【背景技術】
【０００２】
電子ドラムなどの電子打楽器は、当該電子打楽器に設けられた打面がスティックなどにより打撃された場合に、その打撃に基づく振動を圧電素子などの振動センサによって検知し、その検知信号を楽音発生のトリガとして利用することが一般的である。かかる電子打楽器では、打面上の打撃位置に依存することなく、同じ強さの打撃を均一に検出することが要求される。
【０００３】
かかる要求に対し、特許文献１には、円形の振動膜（打面）における各高次倍音振動の腹の位置にそれぞれ圧電素子（圧電膜）を配置させることが提案されている。また、特許文献２には、円形の打面における各振動モードの腹の位置にそれぞれ圧電素子（振動センサ）を配置させることが提案されている。
【先行技術文献】
【特許文献】
【０００４】
【特許文献１】実開昭５５−９９５８５号公報
【特許文献２】特開平９−３４４４７号公報
【発明の概要】
【発明が解決しようとする課題】
【０００５】
しかしながら、複数の圧電素子を各高次倍音振動の腹や各振動モードの腹にそれぞれ配置した場合であっても、一部の高次振動（例えば、２次振動）に対する検出感度が他の高次振動の検出感度に比べて劣るという問題点があった。
【０００６】
本発明は、上述した問題点を解決するためになされたものであり、打撃位置に対する打撃の検出感度の均一性が向上された棒状電子打楽器を提供することを目的とする。
【課題を解決するための手段および発明の効果】
【０００７】
請求項１記載の棒状打楽器によれば、上面視が略矩形である打面の周囲に連設された側壁部の内周側に弾性支持された硬質材料からなる略矩形の板状部材の一面側には、打面が打撃されたことに基づく振動を検出する２つのセンサが設けられ、これらのセンサは、各センサが検出した検出信号を電気的に合成して出力するように接続されている。よって、各センサが検出した検出信号の絶対値をソフト的に加算することなく、打面に対する打撃をセンシングできるので、当該センシングを簡易かつ低コストな構成で行うことができるという効果がある。
【０００８】
このように、請求項１記載の棒状打楽器によれば、さらに、２つのセンサが、それぞれ、板状部材における長手方向の中心を通り短手方向に延びる中心線を挟む所定の範囲内に配設されている。特に、各センサは、前記中心線から、当該中心線から長手方向の端部までの距離の１／２だけ離れた位置より端側であり、かつ、前記中心線から、当該中心線から長手方向の端部までの距離の３／４だけ離れた位置より中心側の範囲に配設される。２つのセンサ各々が上記設置範囲に配設されことにより、２つのセンサ各々が検出した検出信号を合成して出力するように電気的に接続されている構成において、打撃位置に対する打撃の検出感度の均一性を向上できるという効果がある。
【０００９】
なお、特許請求の範囲に記載される「略矩形」は、所謂長方形に限らず、長方形に近似可能な円弧形状も含むことを意図する。
【００１０】
請求項２記載の棒状打楽器によれば、請求項１記載の棒状打楽器が奏する効果に加え、次の効果を奏する。２つのセンサ各々は、前記中心線から、当該中心線から長手方向の端部までの距離の１／２だけ離れた位置より端側であり、かつ、前記中心線から、当該中心線から長手方向の端部までの距離の２／３だけ離れた位置より中心側の範囲に配設されるので、打撃位置に対する打撃の検出感度の均一性をより好適に向上できるという効果がある。
【００１１】
請求項３記載の棒状打楽器によれば、請求項１または２に記載の棒状打楽器が奏する効果に加え、次の効果を奏する。２つのセンサは、板状部材における前記中心線を対称軸として対称に配設されるので、アタッチメントの中心を打撃された場合に、打撃されてから各センサで打撃が検出されるまでの時間差を防ぐことができ、センシングの精度を高めることができるという効果がある。
【００１２】
請求項４記載の棒状打楽器によれば、請求項１から３のいずれかに記載の棒状打楽器が奏する効果に加え、次の効果を奏する。板状部材は、長辺および短辺が、側壁部の内周側に形成された凹部に嵌合されることによって弾性支持されるので、打面が打撃された場合の板状部材は、その４辺が単純支持された状態で振動する。４辺が単純支持された状態で振動する板状部材における短手方向の振動数は、長手方向の振動数に比べて非常に高く、かつ、そのときの振幅は非常に小さいため無視することができる。よって、４辺が単純支持された状態で振動する板状部材は、センサの配置を考える上において長手方向の振動のみを考慮すればよい。従って、かかる板状部材に、２つのセンサを、それぞれ、板状部材における長手方向の中心を通り短手方向に延びる中心線を挟む所定の範囲内に配設させたことにより、打撃位置に対する打撃の検出感度の均一性を向上できるという効果がある。
【図面の簡単な説明】
【００１３】
【図１】本発明の一実施の形態におけるアタッチメントが装着されたドラムの斜視図である。
【図２】（ａ）は、アタッチメントの上面図であり、（ｂ）は、図２（ａ）のＩＩｂ方向から視たアタッチメントの側面図であり、（ｃ）は、図２（ｂ）のＩＩｃ−ＩＩｃ線におけるアタッチメントの部分拡大断面図である。
【図３】（ａ）は、アタッチメントの下面図であり、（ｂ）は、図２（ｂ）のＩＩＩｂ−ＩＩＩｂ線におけるアタッチメントの部分拡大断面図である。
【図４】（ａ）及び（ｂ）は、アタッチメントが装着されたドラムの部分断面図であり、（ｃ）は、図４（ａ）の矢印ＩＶｃ方向から視たドラムの上面図である。
【図５】（ａ）は、センサプレートが装着された上本体部を下側から視た下面図である。（ｂ）は、図５（ａ）のＶｂ−Ｖｂ線における上本体部の拡大断面図である。（ｃ）は、センサプレートを取り外した上本体部を下側から視た下面図である。
【図６】（ａ）は、センサプレートの上面図であり、（ｂ）は、図６（ａ）のＶＩｂ方向から視たセンサプレートの側面図であり、（ｃ）は、図６（ｂ）のＶＩｃ方向から視たセンサプレートの下面図である。
【図７】２つの振動センサの配置を説明する説明図である。
【発明を実施するための形態】
【００１４】
以下、本発明の好ましい実施の形態について添付図面を参照して説明する。まず、図１を参照して、本発明の棒状打楽器の一実施の形態におけるアタッチメント１００が装着されたドラム１の概略構成について説明する。図１は、アタッチメント１００が装着されたドラム１の斜視図である。
【００１５】
図１に示すように、ドラム１は、演奏者により打撃される電子打楽器であり、一面側が開口する筒状の胴部２と、その胴部２の一面側（図１上側）に張設されるヘッド３と、そのヘッド３の周縁を押さえるフープ４と、フープ４を介してヘッド３に張力を付与するテンションボルト５と、そのテンションボルト５が螺合されると共に胴部２に配設されるラグ６とを主に備えている。
【００１６】
胴部２は、ドラム１の胴体をなす部位であり、一面側および他面側（図１上側および下側）が開口する円筒状のシェル２ａと、そのシェル２ａの他面側（図１下側）の開口を被覆する底部２ｂと、その底部２ｂからシェル２ａの径方向外側へ向けて張出形成される張出部２ｃとを備え、その張出部２ｃがシェル２ａの周方向に沿って等間隔に複数（本実施の形態では６個）配設されている。
【００１７】
ヘッド３は、膜状の打面部３ａと、その打面部３ａの外縁に固定される枠部３ｂ（図４（ａ）参照）とを備えている。打面部３ａは、演奏者により打撃される打面として構成される部位である。枠部３ｂは、フープ４に係止される部位であり、所定の剛性を有する金属材料で構成されている。枠部３ｂは、その内径がシェル２ａの外径よりも大きく設定されており、シェル２ａの一面側に打面部３ａが覆設された状態で、枠部３ｂがシェル２ａの他面側（図１下側）へ向けて押圧されることで、打面部３ａに張力が付与される。なお、枠部３ｂは、必ずしも金属材料から構成される必要はなく、所定の剛性を有する樹脂材料等から構成されていてもよい。
【００１８】
フープ４は、ヘッド３の枠部３ｂを押圧することで打面部３ａに張力を付与する円環状の部材であり、フープ４の内径がシェル２ａの外径よりも大きく、かつ、枠部３ｂの外径よりも小さく設定されている。また、フープ４は、その径方向外側へ向けて張り出すフランジ部４ａと、そのフランジ部４ａに貫通形成される貫通孔４ｂ（図４（ｂ）参照）とを備え、それらフランジ部４ａ及び貫通孔４ｂがフープ４の周方向に沿って等間隔に複数（本実施の形態では６個）配設されている。なお、周方向に隣接するフランジ部４ａの間隔は、周方向に隣接する胴部２の張出部２ｃと同等に設定されている。
【００１９】
テンションボルト５は、おねじが形成されるおねじ部５ａと、そのおねじ部５ａの軸方向一側（図１上側）に連設される頭部５ｂと、それらおねじ部５ａ及び頭部５ｂの連設部分にフランジ状に張出形成される係合部５ｃとを備えている。
【００２０】
なお、フープ４の貫通孔４ｂの内径は、おねじ部５ａの外径よりも大きく、かつ、係合部５ｃの外径よりも小さく設定されており、フランジ部５ａの上面側から貫通孔４ｂにおねじ部５ａを挿通させることで、係合部５ｃがフランジ部４ａの上面に係止される。
【００２１】
ラグ６は、テンションボルト５のおねじ部５ａに形成されたおねじが螺合可能なめねじを有する円柱状の部材であり、胴部２のシェル２ａの外周面から離れた位置で張出部２ｃに立設されている。なお、周方向に隣接するラグ６の間隔は、周方向に隣接するフープ４の貫通孔４ｂ（図４（ｂ）参照）と同等に設定されている。なお、本実施の形態では、ラグ６がシェル２ａの外周面から離れた位置で胴部張出部２ｃに立設されているが、胴部張出部２ｃを省略すると共にラグ６をシェル２ａの外周面に固着してもよい。
【００２２】
ドラム１は、テンションボルト５の係合部５ｃがフープ４のフランジ部４ａに係止された状態で、テンションボルト５のおねじ部５ａをラグ６に螺合させることでフープ４を介してヘッド３の枠部３ｂ（図４（ｂ）参照）が胴部２の他面側へ向けて押圧され、ヘッド３の打面部３ａに張力が付与される。演奏者は、ラグ６に対するテンションボルト５の締付量を調整することにより、打面部３ａに付与される張力を演奏者の好みに応じた張力に設定することができる。
【００２３】
アタッチメント１００は、ドラム１に着脱可能に装着されると共に演奏者により打撃される電子打楽器である。アタッチメント１００は、円弧状に湾曲した棒状の本体部１０を備えている。本体部１０は、アタッチメント１００の本体部分をなす部位であり、本体部１０の上側部分を構成する上本体部１１と、その上本体部１１の下面に連結されると共に本体部１０の下側部分を構成する下本体部１２とを備えている。
【００２４】
上本体部１１は、演奏者により打撃される部位であり、ゴムなどの弾性材料から構成される。詳細は後述するが、上本体部１１は、その内部に振動センサ６１（図５（ａ）参照）を配設可能に構成される。よって、アタッチメント１００（上本体部１１）が打撃された場合、その打撃に基づく振動を振動センサ６１に検出させることができる。なお、本実施の形態では、上本体部１１がゴム材料から構成されているが、他の材料、例えば、エラストマーや発泡剤から構成されていてもよい。また、本実施の形態では、下本体部１２が樹脂材料から構成されているが、他の材料、例えば、薄い鉄板やアルミ等から構成されていてもよい。
【００２５】
下本体部１２は、樹脂材料から構成される部位である。下本体部１２の長手方向一端側には、振動センサ６１に電気的に接続されるジャック１００ａが配設されている。ジャック１００ａは、接続ケーブル（図示せず）を介して音源装置（図示せず）と電気的に接続される。よって、アタッチメント１００の打撃に基づく振動センサ６１の検出信号は、ジャック１００ａおよび接続ケーブルを介して音源装置に伝達される。音源装置は、その検出信号に基づいて楽音を生成する。
【００２６】
次に、図２及び図３を参照して、アタッチメント１００の外観形状について詳細に説明する。図２（ａ）は、アタッチメント１００の上面図であり、図２（ｂ）は、図２（ａ）のＩＩｂ方向から視たアタッチメント１００の側面図であり、図２（ｃ）は、図２（ｂ）のＩＩｃ−ＩＩｃ線におけるアタッチメント１００の部分拡大断面図である。図３（ａ）は、アタッチメント１００の下面図であり、図３（ｂ）は、図２（ｂ）のＩＩＩｂ−ＩＩＩｂ線におけるアタッチメント１００の部分拡大断面図である。なお、図面を簡素化して理解を容易とするため、図２（ｃ）では、本体部１０の一部を省略して図示し、図３（ｂ）では、本体部１０の図示を省略している。
【００２７】
図２及び図３に示すように、アタッチメント１００は、本体部１０と、その本体部１０の内周面（図２（ａ）下側の面）から径方向内方（図２（ａ）下方）へ向けて張出形成されるプレート２０と、そのプレート２０の近傍で本体部１０の内周面から径方向内方へ向けて凸設される規制部３０とを主に備えて構成されている。
【００２８】
プレート２０は、テンションボルト５によりフープ４のフランジ部４ａに共締めされる部位であり（図４（ｂ）参照）、板状の金属材料から構成されている。プレート２０には、テンションボルト５のおねじ部５ａの外径よりも大きく、かつ、係合部５ｃの外径よりも小さな内径に設定された係止孔２０ａが形成されており、その係止孔２０ａにテンションボルト５の軸部５ａを挿通させることで、係合部５ｃがプレート２０に係止される（図４（ｂ）参照）。
【００２９】
規制部３０は、ドラム１（図１参照）に対する本体部１０及びプレート２０の変位を規制する部位であり、フープ４のフランジ部４ａ（図４（ｂ）参照）を支持するフランジ支持部４０と、テンションボルト５のおねじ部５ａ（図４（ｂ）参照）を支持するボルト支持部５０とを備えている。
【００３０】
フランジ支持部４０は、弾性材料から構成される部位であり、本体部１０の内周面（図２（ｃ）左側の面）から径方向内方（図２（ｃ）左側）へ向けて凸設されると共に本体部１０の周方向に所定の間隔をおいて配設される一対の凸設部４１と、それら一対の凸設部４１の間に連設されると共に本体部１０の径方向外方（図２（ｃ）右側）へ向けて凹設される連設部４２とを備えている。
【００３１】
凸設部４１は、フープ４のフランジ部４ａ（図４（ｃ）参照）を支持する部位であり、凸設部４１の凸設方向（図３（ｂ）下方向）先端部分に形成される圧接部４１ａを備えている。圧接部４１ａは、フランジ部４ａに圧接される部位であり、本体部１０との間に隙間Ｓが形成されている。また、連設部４２が本体部１０の径方向外方へ向けて凹設されることで、プレート２０と一対の凸設部４１とにより包囲された空間にフランジ部４ａを収容することができる。
【００３２】
ボルト支持部５０は、本体部１０の内周面（図３（ａ）上側の面）に凸設される剛性部５１と、その剛性部５１の凸設方向（図３（ａ）上方向）先端部分に覆設される弾性部５２とを備えている。
【００３３】
剛性部５１は、テンションボルト５（図４（ａ）参照）に対する本体部１０及びプレート２０の変位を規制する部位であり、所定の剛性を有する金属材料から構成されている。剛性部５１は、その凸設方向先端部分に凹設されると共に凹設底面が円弧状に形成された上面視略Ｕ字状の凹設部５１ａを備えている。
【００３４】
凹設部５１ａは、その円弧状部分がプレート２０の係止孔２０ａと同心となるように形成されると共に、円弧状部分の内径がテンションボルト５のおねじ部５ａ（図４（ａ）参照）の外径よりも大きく設定されている。
【００３５】
なお、剛性部５１は、プレート２０と同一の金属材料から一体形成されており、それら剛性部５１とプレート２０とを連設する部位が本体部１０の内部に収容された状態で上本体部１１及び下本体部１２に固定されている。これにより、剛性部５１とプレート２０とを別個に形成する場合と比べて、部品点数を減らすことができると共に、剛性部５１の凹設部５１ａとプレート２０の係止孔２０ａとの位置合わせを不要にすることができるので、アタッチメント１００の製造効率を向上させることができる。
【００３６】
弾性部５２は、テンションボルト５のおねじ部（図４（ａ）参照）に当接される部位であり、剛性部５１よりも剛性の低い弾性材料から構成されている。弾性部５２は、剛性部５１の凹設部５１ａの形状に倣った上面視略Ｕ字状に凹設されており、弾性部５２の円弧状部分がプレート２０の係止孔２０ａと同心となるように形成されると共に、円弧状部分の内径がテンションボルト５のおねじ部５ａの外径よりも小さく設定されている。
【００３７】
なお、弾性部５２は、フランジ支持部４０と同一の弾性材料から一体形成されている。これにより、部品点数を少なくすることができる。また、フランジ部４０の圧接部４１ａと本体部１０との間に隙間Ｓが形成されているので、その隙間Ｓを利用して圧接部４１ａを弾性変形させやすくすることができる。よって、フランジ支持部４０と弾性部５２とが同一の弾性材料から構成されていたとしても、圧接部４１ａを弾性部５２よりも弾性変形しやすくすることができる。
【００３８】
次に、図４を参照して、ドラム１に対するアタッチメント１００の装着状態について説明する。図４（ａ）及び図４（ｂ）は、アタッチメント１００が装着されたドラム１の部分断面図であり、図４（ｃ）は、図４（ａ）のＩＶｃ方向から視たドラム１の上面図である。なお、図４（ａ）及び図４（ｂ）は、アタッチメント１００をフープ４に共締めするテンションボルト５の軸心とフープ４の軸心とを含む平面に沿った断面を図示しており、図４（ｂ）では、図４（ａ）の一部を更に拡大して図示している。また、図面を簡素化して理解を容易とするため、図４（ａ）及び図４（ｂ）では、本体部１０の一部を省略して図示すると共に、図４（ｃ）では、プレート２０の一部を省略して図示している。
【００３９】
図４に示すように、アタッチメント１００をドラム１に装着する際には、プレート２０をフープ４のフランジ部４ａの上面に重ねた状態で、プレート２０の係止孔２０ａ及びフープ４の貫通孔４ｂにテンションボルト５のおねじ部５ａを挿通させ、おねじ部５ａをラグ６に螺入する。このとき、規制部３０は、フランジ支持部４０の圧接部４１ａがフランジ部４ａに圧接され、ボルト支持部５０の弾性部５２がテンションボルト５のおねじ部５ａに当接されている。
【００４０】
おねじ部５ａがラグ６に螺入されるにつれて、テンションボルト５の係合部５ｃがプレート２０に係止され、係合部５ｃがプレート２０及びフープ４を介してヘッド３の枠部３ｂをシェル２ａの他面側（図４（ａ））へ向けて押圧する。演奏者は、ラグ６に対するテンションボルト５の締付量を調整することで、ヘッド打面部３ａの張力を演奏者の好みに応じた張力に設定する。このとき、プレート２０がテンションボルト５によりフランジ部４ａに共締めされ、アタッチメント１００がドラム１に装着される。
【００４１】
次に、図５を参照して、上本体部１１について詳細に説明する。図５（ａ）は、センサプレート６０が装着された上本体部１１を下側、すなわち、下本体部１２と接続される側から視た下面図であり、図５（ｂ）は、図５（ａ）のＶｂ−Ｖｂ線における上本体部の拡大断面図であり、図５（ｃ）は、センサプレート６０を取り外した上本体部１１を下側から視た下面図である。図５には、アタッチメント１００の向きに従う上本体部１１の向きを規定する矢印を付している。具体的に、矢印Ｕ、矢印Ｂ、矢印Ｌ、及び矢印Ｒは、それぞれ、アタッチメント１００及び上本体部１１の上側、下側、左側、及び右側を示す。また、矢印Ｏ及び矢印Ｉは、それぞれ、アタッチメント１００及び上本体部１１の径方向外方及び径方向内方を示す。
【００４２】
図５に示すように、上本体部１１は、演奏者が打棒（スティック）などを用いて打撃する部位として上方（矢印Ｕ方向）に形成される打面１１ａと、打面１１ａの下側（矢印Ｂ方向）の周囲に連設される側壁部１１ｂと、側壁部１１ｂの下方に連設される係合凸部１１ｃとを備える。係合凸部１１ｃは、下本体部１２に設けられている係合凹部（図示せず）に係合される部位であり、係合凸部１１ｃと係合凹部との係合により、上本体部１１と下本体部１２とが連結される。
【００４３】
上本体部１１は、側壁部１１ｂの内周に沿って形成された凹部１１ｄを備える。凹部１１ｄは、振動センサ６１が配設されたセンサプレート６０を嵌め込むための部位である。センサプレート６０は、その周囲が凹部１１ｄに嵌め込まれることによって、上本体部１１に弾性支持される。
【００４４】
上本体部１１は、打面１１ａの下側（矢印Ｂ方向）に、長手方向に互いに離間させつつ複数設けられた凸部１１ｅを備える。図５（ｂ）に示すように、静時、すなわち、打面１１ａが打撃されていない状態において、凸部１１ｅは、センサプレート６０から離間されている。一方、打面１１ａが打撃された場合には、弾性材料から構成される上本体部１１の弾性変形によって、凸部１１ｅがセンサプレート６０を押圧する。センサプレート６０における凸部１１ｅに対向する側の面には、シートセンサ６２（図６（ａ）参照）が設けられており、打面１１ａが打撃された場合には、シートセンサ６２が凸部１１ｅによる押圧を検出する。
【００４５】
次に、図６を参照して、センサプレート６０について詳細に説明する。図６（ａ）は、センサプレート６０の上面図であり、図６（ｂ）は、図６（ａ）のＶＩｂ方向から視たセンサプレート６０の側面図であり、図６（ｃ）は、図６（ｂ）のＶＩｃ方向から視たセンサプレート６０の下面図である。
【００４６】
図６に示すように、センサプレート６０は、本体部１０と同様に円弧状に湾曲したプレートであり、金属材料から構成される。上述した通り、センサプレート６０は、その周囲が、上本体部１１の凹部１１ｄに嵌め込まれ、上本体部１１に弾性支持される。具体的に、図６（ａ）および（ｃ）に示す仮想線Ａより外側の領域６０ａが、凹部１１ｄに嵌め込まれる領域である。
【００４７】
センサプレート６０の上面側には、シートセンサ６２が配設される。センサプレート６０は、シートセンサ６２が配設された面を凸部１１ｅに向けた状態で上本体部１１の凹部１１ｄに嵌め込まれる。シートセンサ６２は、シート面が押圧された場合に検出信号を出力する周知のセンサである。上述した通り、本実施の形態では、打面１１ａが打撃された場合に、シートセンサ６２は、凸部１１ｅによる押圧を検出する。その検出信号は、配線６２ａを介して、下本体部１２に収容される回路基板（図示せず）に入力される。
【００４８】
センサプレート６０の下面側には、２つの振動センサ６１（６１ａ，６１ｂ）が、ウレタンなどのクッションテープ６３を介して配設される。振動センサ６１は、アタッチメント１００の振動を検出して検出信号を出力する周知のセンサである。本実施の形態では、振動センサ６１として、圧電セラミクスの両面に電極を形成した圧電素子と、当該圧電素子の一面に配設された薄い金属板とから構成される圧電振動板を採用する。２つの振動センサ６１ａ，６１ｂは、図示されない配線によって並列に接続される。よって、２つの振動センサ６１ａ，６１ｂからの出力信号は、各振動センサ６１ａ，６１ｂからそれぞれ出力される検出信号の電気的な合成波形（即ち、２つの振動波形の和）である。２つの振動センサ６１ａ，６１ｂの検出信号が合成されたこの出力信号は、図示されない配線を介して、シートセンサ６２からの検出信号が入力される回路基板と同じ回路基板に入力される。
【００４９】
なお、振動センサ６１およびシートセンサ６２からそれぞれ検出信号が入力される回路基板では、シートセンサ６２から検出信号が入力されている場合に限り、振動センサ６１から入力された検出信号をジャック１００ａに出力する。よって、打撃とは無関係の振動、例えば、ヘッド３が打撃されたことに基づくクロストークの振動を、振動センサ６１が検出した場合であっても、その検出信号がジャック１００ａから出力されて、音源装置から発音されることを防止できる。
【００５０】
次に、図７を参照して、２つの振動センサ６１ａ，６１ｂの配置について説明する。図７は、２つの振動センサ６１ａ，６１ｂの配置を説明する説明図である。
【００５１】
本実施の形態では、２つの振動センサ６１ａ，６１ｂは、それぞれ、振動センサ６１が、センサプレート６０の長手方向の中心を通り短手方向に延びる中心線Ｑ１を対称軸とする長手方向に対称な位置であって、所定の設置範囲Ｗ内の位置に配置される。なお、本実施の形態において、振動センサ６１（６１ａ，６１ｂ）の位置は、振動センサ６１の中心Ｐの位置により規定されるものとする。
【００５２】
出願人が行った実験結果によれば、感度分布が良く、出力も安定している好ましい設置範囲Ｗは、中心線Ｑ１から（１／２）Ｋだけ離れた位置より端側であり、かつ、中心線Ｑ１から（３／４）Ｋだけ離れた位置より中心側の範囲であった。なお、かかる場合において、中心線Ｑ１から（１／２）Ｋだけ離れた位置および中心線Ｑ１から（３／４）Ｋだけ離れた位置は、設置範囲Ｗに含まれない。ここで、Ｋは、センサプレート６０の中心線Ｑ１から長手方向の端Ｑ２までの長さである。
【００５３】
本実施の形態のセンサプレート６０は、長手方向が円弧状に湾曲する形状であるが、近似的に長方形とみなすことができる。よって、センサプレート６０のように、長方形に近似し得る円弧形状のセンサプレートでは、短手方向の中心線Ｊを直線に伸ばした線分Ｊ’の長さが、長手方向の長さＫに相当する。
【００５４】
出願人が行った実験結果によれば、打面１１ａのどの位置を打撃しても、センサプレート６０は、中央部が最も大きく振動した。かかる結果から、周囲が凹部１１ｄに嵌め込まれたことにより、センサプレート６０の４つの各辺がそれぞれ半固定され、センサプレート６０は４つの各辺が単純支持された状態で振動する。４辺が単純支持された状態で振動する板状部材における短手方向の振動数は、長手方向の振動数に比べて非常に高く、かつ、そのときの振幅は非常に小さいため無視することができる。よって、４辺が単純支持された状態で振動する板状部材は、センサの配置を考える上において長手方向の振動のみを考慮すればよい。よって、センサプレート６０における中心線Ｑ１から（１／２）Ｋだけ離れた位置は、長手方向の両端が単純支持されたセンサプレート６０の固有振動のうち、２次振動モードの腹の位置に相当する。一方、センサプレート６０における中心線Ｑ１から（３／４）Ｋだけ離れた位置は、長手方向の両端が単純支持されたセンサプレート６０の固有振動のうち、４次振動モードの腹の位置に相当する。つまり、２つの振動センサ６１ａ，６１ｂは、２次振動モードの腹と４次振動モードの腹との間に、これらの腹を避けた位置に設けることが好ましい。
【００５５】
上述した通り、本実施の形態では、２つの振動センサ６１ａ，６１ｂがそれぞれ検出した検出信号の電気的な合成波形が、出力信号として出力される。よって、振動センサ６１（６１ａ，６１ｂ）を、２次振動モードの腹となる位置に設けた場合、各振動センサ６１ａ，６１ｂの検出信号が逆位相となり、それにより、各検出信号は互いに打ち消されると考えられる。同様に、振動センサ６１（６１ａ，６１ｂ）を、４次振動モードの腹となる位置に設けた場合も、各振動センサ６１ａ，６１ｂの検出信号が逆位相となって、各検出信号は互いに打ち消されると考えられる。よって、振動センサ６１ａ，６１を、２次および４次振動モードの腹となる位置に設けることは好ましくないと考えられる。一方、振動センサ６１（６１ａ，６１ｂ）を、２次振動モードの腹より外側の３次振動モードの腹となる位置に設けた場合には、振動センサ６１の上が打撃された場合に、各振動センサ６１ａ，６１ｂの検出信号が同位相となるので、各検出信号が互いに打ち消されることはないと考えられる。
【００５６】
また、振動センサ６１を、中心線Ｑ１から（１／２）Ｋだけ離れた位置より中心側に配置した場合、中心側に近づくほど、１次振動モードの振動が他の振動モードの振動に比べて大きく支配的となるため、打撃位置による感度分布が悪くなると考えられる。よって、設置範囲Ｗにおけるセンサプレート６０の中心側の境界を、中心線Ｑ１から（１／４）Ｋだけ離れた位置より中心側とすることは好ましくない。ただし、中心線Ｑ１から（１／４）Ｋだけ離れた位置より中心側であっても、中心線Ｑ１から（１／４）Ｋまでであれば、設置範囲Ｗにおけるセンサプレート６０の中心側の境界として採用することは可能である。
【００５７】
一方、振動センサ６１を、中心線Ｑ１から（３／４）Ｋだけ離れた位置より端側に配置した場合、どの振動モードの振動も弱いので、検出感度が悪くなると考えられる。よって、設置範囲Ｗにおけるセンサプレート６０の端側の境界を、中心線Ｑ１から（３／４）Ｋだけ離れた位置より端側とすることは好ましくない。
【００５８】
また、本実施の形態では、振動センサ６１の共振振動数は、約６．３ｋＨｚであり、この共振振動数は、４つの各辺が単純支持されたセンサプレート６０の長手方向の固有振動のうち、２次振動モードの固有振動数（約６．６ｋＨｚ）に近い値である。よって、設置範囲Ｗを、中心線Ｑ１から（１／２）Ｋだけ離れた位置より端側であり、かつ、中心線Ｑ１から（３／４）Ｋだけ離れた位置より中心側の範囲とすることにより、２つの並列に接続された振動センサ６１ａ，６１ｂが、センサプレート６０の２次振動モードの振動を打ち消すことなく、エネルギーの大きい２次振動モードの振動を好適に検出することができるので、感度分布が向上しているとも考えられる。
【００５９】
なお、出願人が行った実験結果によれば、設置範囲Ｗとして、上述した範囲よりさらに好ましい範囲は、中心線Ｑ１から（１／２）Ｋだけ離れた位置より端側であり、かつ、中心線Ｑ１から（２／３）Ｋだけ離れた位置を含む当該位置より内側の範囲であった。かかる場合、中心線Ｑ１から（１／２）Ｋだけ離れた位置は、設置範囲Ｗに含まれないが、中心線Ｑ１から（２／３）Ｋだけ離れた位置は、設置範囲に含まれる。つまり、２つの振動センサ６１ａ，６１ｂは、２次振動モードの腹と３次振動モードの腹との間に、２次振動モードの腹を避けた位置に設けることがより好ましい。
【００６０】
上述した通り、本実施の形態のアタッチメント１００によれば、センサプレート６１上に配置された２つの振動センサ６１（６１ａ，６１ｂ）が並列に接続され、各振動センサ６１ａ，６１ｂが検出した検出信号の電気的な合成波形が音源装置（図示せず）へと出力される。よって、各センサが検出した検出信号の絶対値をソフト的に加算することなく、打面に対する打撃をセンシングできるので、当該センシングを簡易かつ低コストな構成で行うことができる。
【００６１】
また、アタッチメント１００によれば、２つの振動センサ６１ａ，６１ｂが、センサプレート６０の長手方向中心線Ｑ１から（１／２）Ｋだけ離れた位置より端側であり、かつ、中心線Ｑ１から（３／４）Ｋだけ離れた位置より中心側の範囲、より好ましくは、中心線Ｑ１から（１／２）Ｋだけ離れた位置より端側であり、かつ、中心線Ｑ１から（２／３）Ｋだけ離れた位置より中心側の範囲、に設けられている。２つの振動センサ６１ａ，６１ｂを、それぞれ、センサプレート６０の中心線Ｑ１を対称軸とする長手方向に対称な位置であって、上述した範囲内に設けることにより、打撃に対する感度分布を均一化することができ、出力も安定させることができる。
【００６２】
以上、実施の形態に基づき本発明を説明したが、本発明は上記各実施の形態に何ら限定されるものではなく、本発明の趣旨を逸脱しない範囲内で種々の改良変形が可能であることは容易に推察できるものである。
【００６３】
例えば、上記実施の形態では、振動センサ６１として、圧電セラミクスの両面に電極を形成した圧電素子と、当該圧電素子の一面に配設された薄い金属板とから構成される圧電振動板を例示して説明したが、必ずしもこれに限られるものではなく、振動を検出可能なセンサであればよい。例えば、変位を検出可能なセンサや、加速度を検出可能なセンサなどを、振動センサ６１として採用できる。
【００６４】
上記実施の形態では、２つの振動センサ６１ａ，６１ｂ（中心Ｐ）が、センサプレート６０の中心線Ｑ１を対称軸とする長手方向に対称な位置に配設されるものとして説明したが、必ずしもこれに限られるものではなく、振動の検出に影響がない範囲で、２つの振動センサ６１ａ，６１ｂが、中心線Ｑ１に対して非対称に配設されていてもよい。なお、最も頻繁に打撃されるアタッチメント１００の中心付近を打撃された場合に、打撃されてから各センサで打撃が検出されるまでの時間差を防ぎ、打面に対する打撃のセンシング精度を高めるという点において、２つの振動センサ６１ａ，６１ｂが、中心線Ｑ１に対して対称に配設されていることが好ましい。
【００６５】
上記実施の形態では、本体部１０が円弧状に湾曲して形成される場合について説明したが、必ずしもこれに限られるものではなく、他の形状、例えば、湾曲のない矩形状に形成されていてもよい。
【００６６】
上記実施の形態では、アタッチメント１００が電子打楽器（ドラム１）に装着される場合について説明したが、アタッチメント１００をアコースティックの打楽器やスタンドに装着させる構成であってもよい。
【００６７】
上記実施形態では、アタッチメント１００が１本のテンションボルト５によりフープ４のフランジ部４ａ共締めされることを説明したが、フープ４にアタッチメント１００を取り付ける際のテンションボルトの数は、１本に限らず２本以上であってもよい。
【００６８】
上記実施の形態では、アタッチメント１００が電子打楽器として利用される場合について説明したが、必ずしもこれに限られるものでく、アタッチメント１００をソングの再生および停止を行うコントローラとして使用してもよい。
【００６９】
上記実施の形態では、センサプレート６０を金属材料から構成されるものとして説明したが、硬質材料であれば、金属材料に限らず、合成樹脂材料やセラミクス材料などを、センサプレート６０の材料として使用してもよい。
【００７０】
上記実施の形態では、センサプレート６０の全周が凹部１１ｄに嵌め込まれて弾性支持された構成を例示して説明したが、センサプレート６０の全周でなくとも、４つの各辺の一部がそれぞれ凹部１１ｄに嵌め込まれる構成であればよい。
【００７１】
上記実施の形態では、２つの振動センサ６１ａ，６１ｂを並列に接続する場合を例示したが、２つの振動センサ６１ａ，６１ｂを直列に接続する構成としてもよい。２つの振動センサ６１ａ，６１ｂを直列に接続した場合も、並列に接続した場合と同様に、各振動センサ６１ａ，６１ｂからそれぞれ出力される検出信号の電気的な合成波形を出力信号として出力させることができる。
【符号の説明】
【００７２】
１００  アタッチメント（棒状打楽器）
１１ａ  打面
１１ｂ  側壁部（側壁部）
１１ｄ  凹部
６０    センサプレート（板状部材）
６１    振動センサ（センサ）
Ｑ１    中心線
Ｑ２    長手方向の端（長手方向の端部）
Ｗ      設置範囲（所定の範囲）
【図１】
2014119664.tif 000003
【図２】
2014119664.tif 000004
【図３】
2014119664.tif 000005
【図４】
2014119664.tif 000006
【図５】
2014119664.tif 000007
【図６】
2014119664.tif 000008
【図７】
2014119664.tif 000009